(57)【要約】      （修正有）【課題】自転車等で駐輪時においてスタンドを起立状態とした場合は自動的にロック状態になされ、また開錠可能な鍵が装着されたときは、スタンドのロック状態を解除可能にするロック解除手段を備えた自転車用スタンドのロック装置を提供する。【解決手段】自転車等の既存のスタンドにオス１を取り付け後輪車軸の止め具９にスタンドのロックを設けることにより、スタンドの起立と同時にスタンドがロックされ、盗難防止用のスタンド装置となる。スタンドのロックの操作は、オス１が取り付けてあるスタンドを起立し後輪車軸の止め具９に設けたスタンドのロックのラッチ４にオス１が進入して、オス１がラッチ４を打撃し、オスの凹部３にラッチ４が固定され、スタンドがロックされる。スタンドロックの解除は、シリンダー型キー８のカギ穴にカギを挿し、回すと解除される。その時、またカギを回し、再度スタンドロックをできる状態にする。【選択図】図２
2012076629.tif 000002
【特許請求の範囲】
【請求項１】
自転車の後輪軸付近に取り付けられたスタンドロックの取り付け板によって回動可能に支持され、自転車を自立した状態に保持される起立状態もしくは自転車の利用時において跳ね上げ状態になされるスタンド部材と、
前記スタンドのロック取り付け板におけるスタンド部材の支持点を回転中心にして形成され、前記スタンド部材の回動に伴って周縁部が回動されると共に、当該周縁部の一部に凹部が形成されたオスと、
前記スタンド部材が起立状態にされたとき、オスの凹部にすることで、前記スタンド部材の回動を阻止するラッチと、
前記スタンド部材と取り付けられると共に、スタンドの跳ね上げの操作によりオスの凹部にロックしたラッチを、オスの凹部から退避させるように駆動するラチェット連動棒とつめとシリンダー型キーと、
開錠可能な鍵が装着された場合においてのみ、オスの凹部にロック状態のラッチをシリンダー型キーの操作によりオスの凹部から退避可能にさせるロック解除手段と、
を具備したことを特徴とする自転車用スタンドのロック装置。
【請求項２】
前記ロック解除のキー操作による駆動力を、シリンダー型キーのバネを利用してラチェット連動棒とつめとラチェットのラッチに伝達させることで、前記オスの凹部に退避動作が行われるように構成したことを特徴とする請求項１に記載された自転車用スタンドのロック装置。
【請求項３】
請求項１、請求項２などの自転車等のスタンドに取り付けるロック部材とスタンドと連動するロック機構を備える自転車スタンドのロック装置。
【請求項４】
スタンドを跳ね上げることでスタンドをロックする、又は自転車をロックする自転車用スタンドのロック装置。
【請求項５】
鍵をロック後、開錠後、常に鍵を取り外す特徴とする自転車用のロック装置。
【発明の詳細な説明】
【技術分野】
【０００１】
本発明は自転車輌のスタンド用ロック装置に関し、特に駐輪時においてスタンドを立てた場合（起立状態とした場合）においては、スタンドを立てたと同時に自動的にスタンドがロック状態になされると共に、開錠可能な鍵が装着されたときにおいて、スタンドのロック状態を解除可能にするロック解除手段を備えた自転車用スタンドのロック装置に関する。
【背景技術】
【０００２】
従来の施錠機構は、一般に前輪のスポーク間に鍵が出没される構成、又は車輌及び自転車本体との間に巻いて装着する鍵付きバンド構成、等が知られている。しかしこれらの構成は、スタンドを起立させて自転車を起立保持させた後、前フォーク或いは後フォーク等に取り付けられた施錠装置を操作するか、又は鍵付きバンドによる施錠装置を操作する等の動作をする。したがって、施錠には、必ずスタンドを起立させる動作と施錠操作が必要となることから、施錠が煩わしく、殊に急いでいる時には種々の不都合がある。また前輪に施錠装置がある構成では、多数の自転車が並設駐車されている状況では、施錠装置の操作に困ることが多々発生する。
【先行技術文献】
【特許文献】
【０００３】
【特許文献１】特開平９−５８５４２
【特許文献２】特開２００２−１７８９７０
【発明の概要】
【発明が解決しようとする課題】
【０００４】
通常の自転車は、第１に盗難防止用の施錠手段と、スタンドのロック手段とが別々になっているために駐輪時の操作が面倒なものとなっている。第２に現在使われている施錠手段のうち、固定式のものはドライバーを用いて簡単に除去可能であり、その他のリング状のものはカッターで切断容易となっているものが多い。また、これらの施錠手段のうち、非固定式のものは乗用時に前篭や荷台篭等に入れるなどして自転車とは別に持ち運びしなければならないものであるため、出かける際に持ち運び忘れなどをすると施錠できないことがある。
【０００５】
そこで本発明の目的は、施錠手段とスタンドのロックとを一体的に設けて連動可能とすることにより、駐輪時の諸操作を少なくして、自転車の施錠を容易にし、駐輪時における鍵の取り忘れによる自転車の盗難防止が可能な自転車用スタンドのロック装置を提供することである。
【課題を解決するための手段】
【０００６】
前記した課題を解決するためになされたこの発明にかかる自転車用スタンドのロック装置は、自転車の後輪付近に取り付けられたスタンドのロック取り付け板によって回動可能に支持され、自転車を自立した状態に保持させる起立状態もしくは自転車の利用時において跳ね上げ状態になされるスタンド部材と、前記スタンドのロック取り付け板におけるスタンド部材の支持点を回転中心にして形成され、前記スタンド部材の回動に伴って周縁部が回動されると共に、当該周縁部の一部に凹部が形成されたオスと、前記スタンド部材が起立状態にされたとき、前記オスの凹部にすることで、前記スタンド部材の回動を阻止するラッチと、前記スタンド部材に取り付けられると共に、スタンドの跳ね上げの操作により前記オスの凹部にロックしたラッチを、オスの凹部から退避させるように駆動するラチェット連動棒とつめとシリンダー型キーと、開錠可能な鍵が装着場合においてのみ、前記オスの凹部にロック状態のラッチを前記シリンダー型キーの操作により前記オスの凹部から退避させるロック解除手段とを具備した点に特徴を有する。
【０００７】
本発明においては、カギはいつでも取り外しができカギの取り忘れによる盗難防止ができる。
【０００８】
また、本発明においては、スタンドを起立させることによりスタンドをロックできカギを施錠する手間が省ける。
【発明の効果】
【０００９】
前記した構成の自転車用スタンドのロック装置によると、自転車を自立した状態に保持させるためにスタンド部材を起立させた場合、前記スタンド部材の支持点を回転中心にして形成されたオスの凹部に対してラッチが接触しオスの凹部にはまることでロックされるように作用する。これにより、スタンド部材は自動的に起立状態にロックされ、自転車を自立状態に保持させることができる。
【００１０】
また、前記自転車用スタンドのロック装置に取り付けられたシリンダー型キーをカギで施錠操作することで、シリンダー型キーがつめを打撃しラチェット連動棒が回転しラチェットと連動しラチェットのラッチがラチェットの中に収納されることで、オスの凹部から退避させることができ、これにより容易に前記スタンド部材のロック状態を解除させることができる。
【００１１】
この場合、開錠可能な鍵が装着された場合においてのみ、ロック状態のオスの凹部をラッチから退避可能にすることができるので、開錠可能な鍵を所有するもの以外はたとえスタンドの跳ね上げの操作を行っても、スタンドを跳ね上げることはできず自転車に乗用することはできない。すなわち、開錠可能な鍵を装着しない限りはスタンド部材を跳ね上げ状態にすることはできず、これにより、自転車の盗難防止に貢献することができる。
【図面の簡単な説明】
【００１２】
【図１】ロック状態を示す正面図である。
【図２】ロック状態を示す立面図である。
【図３】ロック状態を示す平面図である。
【図４】ロック状態を示す背面図である。
【図５】ロック状態を示す構造図である。
【図６】アンロック状態を示す構造図である。
【発明を実施するための形態】
【００１３】
以下に本発明の実施例を図面について説明する。図１は本発明の正面図、図２は本発明の立面図、図３は本発明の平面図、図４は本発明の背面図である。
【００１４】
図１は、自転車の後輪のスポークに自転車用スタンドのロック装置を装着したものである。
【００１５】
図２は、前記図１の立面図である。自転車用スタンドのロック装置は、スタンドロック装置のブラックボックス１０に覆われているものである。このスタンドのロック装置のブラックボックス１０はスタンドロック取り付け板１１に固定され、後輪のスポークと自転車とスタンドロック装置の止め具１２と自転車用スタンドのロック装置を固定するスタンドロック取り付け板１１を固定するものである。このスタンドのロック取り付け板１１と自転車を輪軸の止め具９で固定するようにする。
このようにすることで自転車用スタンドのロック装置を破壊または、取り外すことを困難にし、自転車の盗難防止につとめる。
【００１６】
図２で示すオス１は、スタンドとスタンド止め具２で固定する。既存の自転車のスタンドに取り付けられる。
【００１７】
図２、図５、図６で示す構造の説明をする。スタンドを立てることでスタンドに装着されているオス１も円弧を描きながら、自転車の後輪軸とスポークに固定されてあるスタンドロック装置のラッチ４に打撃し、ラッチ４がラチェット５に収納され、オスの凹部にラッチ４にはまることでスタンドがロックされる。スタンドのロックを解除するには、シリンダー型キー８にカギを挿入しカギを押しながらカギを回す。シリンダー型キー８のカギを押すことでシリンダー型キー８のバネ１３が収縮しシリンダー型キーがラチェット連動棒６のつめ７を打撃し、つめ７とラチェット連動棒６が回転し、同時にラチェット連動棒とラチェット５が連動しラッチ４がラチェット５に収納されることで、オスの凹部３からラッチ４のロックが解除される。ロックが解除されることでスタンドを跳ね上げられる。シリンダー型キー８のカギを回しシリンダー型キー８のバネ１３が伸縮することでつめ７とラチェット連動棒６が元に回転すると同時にラチェット５と連動しラッチ４がラチェット５の収納から解除され再びスタンドを立てることでスタンドをロックできる。
【００１８】
本発明は、前記した実施の形態に限定されるものではなく、本発明の要旨を変更しない範囲での変更は可能であり、例えば、前記したそれぞれの実施の形態や変形例の一部又は全部を組み合わせて本発明のスタンドを立てたり跳ね上げたりすることで自転車を施錠する構成及びカギの抜き差しを常にできる構成する場合も本発明の権利範囲に含まれる。
【符号の説明】
【００１９】
１    オス
２    スタンドの止め具
３    オスの凹部
４    ラッチ
５    ラチェット
６    ラチェット連動棒
７    つめ
８    シリンダー型キー
９    後輪軸の止め具
１０  スタンドのロック装置のブラックボックス
１１  スタンドのロック取り付け板
１２  自転車とスタンドロック装置の止め具
１３  バネ
【図１】
2012076629.tif 000003
【図２】
2012076629.tif 000004
【図３】
2012076629.tif 000005
【図４】
2012076629.tif 000006
【図５】
2012076629.tif 000007
【図６】
2012076629.tif 000008